【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
ワイヤレス通信システムにおいて動作するフェムトセル・デバイスの位置の検出においてワイヤレス位置検出システム（ＷＬＳ）によって用いるための方法であって、
前記ＷＬＳが、サービング移動体位置検出センタ（ＳＭＬＣ）と、前記ＳＭＬＣと通信する複数の位置測定ユニット（ＬＭＵ）と、前記ＳＭＬＣと通信する複数のリンク・モニタと、前記ＳＭＬＣと通信し前記ワイヤレス通信システムのセル位置およびその他の無線の態様を含むＳＭＬＣデータベースとを含み、
前記方法は、
（ａ）前記フェムトセル・デバイスを発見しその位置検出を開始するステップであって、前記発見および開始が、（ａ１）前記ワイヤレス通信システムからフェムトセルＩＤ情報を受信する手順、（ａ２）コール詳細記録の分析により前記フェムトセルＩＤ情報を発見する手順、および（ａ３）コール・イベントに関するメッセージ内において新たなセル-ＩＤを求めて、ワイヤレス通信システム・リンク・トラフィックの監視を通じて、前記フェムトセルＩＤ情報を発見する手順、のうち少なくとも１つを含む、ステップと、
（ｂ）前記フェムトセルＩＤ情報を前記ＳＭＬＣデータベースに格納するステップと、
（ｃ）前記フェムトセル・デバイスの位置検出に対するトリガを設定するステップであって、前記トリガの設定が、（ｃ１）ワイヤレス・インテリジェント・ネットワーク（ＷＩＮ）設備を通じてフェムトセル・セル-ＩＤトリガを前記ＳＭＬＣデータベースに設定する手順、（ｃ２）いつ前記フェムトセル・デバイスが移動局（ＭＳ）に応対しているか特定するために前記移動局（ＭＳ）の位置情報を試験すべきことを前記ＷＬＳに示すために、内部フェムトセル・セル-ＩＤトリガを前記ＳＭＬＣデータベースに設定する手順、（ｃ３）前記ＷＬＳと関連した無線ネットワーク・モニタ（ＲＮＭ）またはリンク監視システム（ＬＭＳ）にフェムトセル・セル-ＩＤトリガを設定する手順のうち少なくとも１つを含み、前記ＷＬＳが、前記フェムトセル・セル-Ｄの検出が、前記フェムトセル・デバイスの位置検出を試すことを前記ＷＬＳに催促するように構成された、ステップと、
（ｄ）前記フェムトセル・デバイスによって応対されているＭＳの識別を判定するステップと、
（ｅ）前記ＭＳの位置を判定し、ＭＳ位置情報を前記ＳＭＬＣデータベースに提供するステップと、
（ｆ）前記ＭＳの位置を用いて、前記フェムトセル・デバイスの位置を計算するステップと、
（ｇ）前記フェムトセル・デバイスの計算した位置に関する確信度を計算するステップと、
（ｈ）前記計算した確信度を、前記ＳＭＬＣデータベースに格納された確信度と比較するステップと、
（ｉ）前記計算した確信度が、前記格納された確信度よりも高いと判定するステップと、
（ｊ）前記ワイヤレス通信システムの操作者に、前記フェムトセル・デバイスと関連した格納位置情報における誤差を通知するステップおよび前記ＳＭＬＣデータベースの中にある前記フェムトセル・デバイスと関連した前記格納位置情報を更新するステップのうち少なくとも一方を含むさらなる動作を行うステップと、を含む、方法。
【請求項２】
請求項１記載の方法であって、更に、前記計算した確信度が、予め定められた値よりも低いと判定し、より高精度な前記フェムトセル・デバイスの位置を得ようとするステップを含む、方法。
【請求項３】
請求項１記載の方法であって、更に、無線周波数（ＲＦ）計画および調整のために前記フェムトセル・デバイスの位置を用いるステップを含む、方法。
【請求項４】
請求項３記載の方法において、前記ＲＦ計画および調整が、前記フェムトセル・デバイスが再配置されるときに、前記フェムトセル・デバイスが他のセルと干渉するのを防止することを含む、方法。
【請求項５】
請求項１記載の方法であって、更に、前記フェムトセル・デバイスの位置を、緊急サービスに用いるステップを含む、方法。
【請求項６】
請求項１記載の方法であって、更に、前記フェムトセル・デバイスの位置を、警告、警報、および応答ネットワーク（ＷＡＲＮ）サービスに用いるステップを含む、方法。
【請求項７】
請求項１記載の方法であって、更に、前記フェムトセル・デバイスの位置を、商用位置検出サービスに用いるステップを含む、方法。
【請求項８】
請求項１記載の方法であって、更に、前記フェムトセル・デバイスを前記ＭＳから隔てている距離を判定するステップと、前記ＭＳの位置と前記フェムトセル・デバイスを前記ＭＳから隔てている前記距離とを用いて、前記フェムトセル・デバイスの位置を計算するステップとを含む、方法。
【請求項９】
請求項１記載の方法において、前記ワイヤレス通信システムが、前記フェムトセル・デバイスに加えて、複数のマクロセルと少なくとも１つのマイクロセルとを含む、方法。
【請求項１０】
請求項９記載の方法において、前記フェムトセル・デバイスが、１つのマクロセルの無線フットプリント内に位置付けられたアンダーレイ・フェムトセルである、方法。
【請求項１１】
請求項９記載の方法において、前記フェムトセル・デバイスが、複数のマクロセルの無線フットプリント内に位置付けられた境界フェムトセルである、方法。
【請求項１２】
請求項９記載の方法において、前記フェムトセル・デバイスが、前記ワイヤレス通信システムの全てのマクロセルの無線フットプリントおよびカバレッジ・エリアの外側に位置付けられた遠隔フェムトセルである、方法。
【請求項１３】
請求項１記載の方法において、前記ＭＳの位置が、当該ＭＳによって計算され、当該ＭＳによって供給される、方法。
【請求項１４】
請求項１３記載の方法において、前記ＭＳが、ＧＮＳＳ衛星信号を受信することができる受信機を含むグローバル・ナビゲーション衛星システム（ＧＮＳＳ）対応デバイスである、方法。
【請求項１５】
請求項１記載の方法において、前記ＭＳの位置が、ネットワーク・ベース・ワイヤレス位置検出システムによって計算される、方法。
【請求項１６】
請求項１５記載の方法において、前記ＭＳの位置が、ハンドオーバー手順の間にＭＳアップリンク送信を用いて判定される、方法。
【請求項１７】
ワイヤレス通信システムにおいて動作するフェムトセル・デバイスの位置を検出する際に、ワイヤレス位置検出システム（ＷＬＳ）によって用いるためのサブシステムであって、前記ＷＬＳが、サービング移動体位置検出センタ（ＳＭＬＣ）と、前記ＳＭＬＣと通信する複数の位置測定ユニット（ＬＭＵ）と、前記ＳＭＬＣと通信する複数のリンク・モニタと、前記ＳＭＬＣと通信し前記ワイヤレス通信システムのセル位置およびその他の無線の態様を含むＳＭＬＣデータベースとを含み、前記サブシステムが、
（ａ）前記フェムトセル・デバイスを発見しその位置検出を開始する手段であって、前記発見および開始が、（ａ１）前記ワイヤレス通信システムからフェムトセルＩＤ情報を受信する手順、（ａ２）コール詳細記録の分析により前記フェムトセルＩＤ情報を発見する手順、および（ａ３）コール・イベントに関するメッセージ内において新たなセル-ＩＤを求めて、ワイヤレス通信システム・リンク・トラフィックの監視を通じて、前記フェムトセルＩＤ情報を発見する手順のうち少なくとも１つを含む、手段と、
（ｂ）前記フェムトセルＩＤ情報を前記ＳＭＬＣデータベースに格納する手段と、
（ｃ）前記フェムトセル・デバイスの位置検出に対するトリガを設定する手段であって、前記トリガの設定が、（ｃ１）ワイヤレス・インテリジェント・ネットワーク（ＷＩＮ）設備を通じてフェムトセル・セル-ＩＤトリガを前記ＳＭＬＣデータベースに設定する手順、（ｃ２）いつ前記フェムトセル・デバイスが移動局（ＭＳ）に応対しているか特定するために前記移動局（ＭＳ）の位置情報を試験すべきことを前記ＷＬＳに示すために、内部フェムトセル・セル-ＩＤトリガを前記ＳＭＬＣデータベースに設定する手順、（ｃ３）前記ＷＬＳと関連した無線ネットワーク・モニタ（ＲＮＭ）またはリンク監視システム（ＬＭＳ）にフェムトセル・セル-ＩＤトリガを設定する手順、のうち少なくとも１つを含み、前記ＷＬＳが、前記フェムトセル・セル-Ｄの検出が、前記フェムトセル・デバイスの位置検出を試すことを前記ＷＬＳに催促する、手段と、
（ｄ）前記フェムトセル・デバイスによって応対されているＭＳの識別を判定する手段と、
（ｅ）前記ＭＳの位置を判定し、ＭＳ位置情報を前記ＳＭＬＣデータベースに提供する手段と、
（ｆ）前記ＭＳの位置を用いて、前記フェムトセル・デバイスの位置を計算する手段と、
（ｇ）前記フェムトセル・デバイスの計算した位置に関する確信度を計算する手段と、
（ｈ）前記計算した確信度を、前記ＳＭＬＣデータベースに格納された確信度と比較する手段と、
を含む、サブシステム。
【請求項１８】
請求項１７記載のサブシステムであって、更に、前記計算した確信度が前記格納された確信度よりも高いと判定し、前記ＳＭＬＣデータベースの中にある前記フェムトセル・デバイスと関連した位置情報を更新する手段を含む、サブシステム。
【請求項１９】
請求項１７記載のサブシステムであって、更に、前記計算した確信度が、前記格納された確信度よりも高いと判定し、前記ワイヤレス通信システムの操作者に、前記フェムトセル・デバイスと関連した前記格納された位置情報における誤差を通知する手段を含む、サブシステム。
【請求項２０】
請求項１７記載のサブシステムであって、更に、前記計算した確信度が、予め定められた値よりも低いと判定し、より高精度な前記フェムトセル・デバイスの位置を得ようとする手段を含む、サブシステム。
【請求項２１】
請求項１７記載のサブシステムであって、前記フェムトセル・デバイスを前記ＭＳから隔てている距離を判定する手段と、前記ＭＳの位置と前記フェムトセル・デバイスを前記ＭＳから隔てている前記距離とを用いて、前記フェムトセル・デバイスの位置を計算する手段とを含む、サブシステム。
【請求項２２】
請求項１７記載のサブシステムにおいて、前記ＭＳの位置が、当該ＭＳによって計算され、前記ＭＳによって供給される、サブシステム。
【請求項２３】
請求項１７記載のサブシステムにおいて、前記ＭＳの位置が、前記ＷＬＳによって計算される、サブシステム。
【請求項２４】
請求項２３記載のサブシステムにおいて、前記ＭＳの位置が、ハンドオーバー手順の間にＭＳアップリンク送信を用いて判定される、サブシステム。